(57)【要約】      （修正有）【課題】安価で簡単な構成により傷が付くのを防止できるキャビネット格納スツールを提供することを目的とする。【解決手段】キャビネット格納スツールの前板３１ｂの上端部に保護材４０が突出して固着される。保護材４０は断面凸状で、凸状の表面は円弧で形成され底部４０ａは平面状である。底部４０ａの下端４０ｂから高さＨ＝８ｍｍの位置で底部４０ａと直角に突部４０ｃが形成される。突部４０ｃの先端部４０ｄは三層の矢尻形状を備える。底部４０ａの上端部４０ｅに凸部４０ｆが形成される。突部４０ｃがキャビネット格納スツール３１の前板３１ｂに形成される溝部４１に嵌入して固着される。凸部４０ｆはキャビネット格納スツール３１の前板３１ｂの上面３１ｅと座部３６との隙間を覆うように取付けられる。突部４０ｃと凸部４０ｆは保護材４０の長手方向の両端から長さＱ７＝１５ｍｍの領域には形成されない。【選択図】図２
2008136615.tif 000002
【特許請求の範囲】
【請求項１】
キャビネットの格納部に出し入れ自在で外観が略直方体形状のキャビネット格納スツールであって、
前記格納部の一対の側面に対向する前記キャビネット格納スツールの一対の側面の両方又はいずれか一方の側面に保護材が突出して設けられることを特徴とするキャビネット格納スツール。
【請求項２】
請求項１に記載のキャビネット格納スツールであって、前記保護材は断面凸状でその底部に突部が形成され、この突部が前記キャビネット格納スツールの側面に形成される溝部に嵌入して固着されることを特徴とするキャビネット格納スツール。
【請求項３】
請求項１又は請求項２に記載のキャビネット格納スツールであって、前記保護材は前記キャビネット格納スツールの側面の上端部に固着されることを特徴とするキャビネット格納スツール。
【発明の詳細な説明】
【技術分野】
【０００１】
本発明は、キャビネット格納スツールに関し、キャビネットから出し入れする際にキャビネット格納スツールがキャビネットに干渉して傷が付くことを防止する技術に関する。
【背景技術】
【０００２】
従来、特許文献１によれば、図５に示すように、キャビネット１０には衣服などを収容できる収容部１００が設けられ、収容部１００の前部開口部には開き戸１０１を備え、開き戸１０１の正面部には鏡板１０２を備える。
【０００３】
キャビネット１０の下部に設けられるドレッサー部１１には、出し入れ可能な台板１１０及び引出体１１１を備え、この下部に格納部１１２が設けられる。格納部１１２の脇には収容庫１１３が設けられる。
【０００４】
格納部１１２には、収容部２０を有するキャビネット格納スツール２１が設けられ、キャビネット格納スツール２１の上部には開閉可能な座部２２が設けられ、底部には複数のキャスター２３を備え、背部には格納時に表面がキャビネット１０と実質的に面一となる握り部２４０を形成した背板２４が備えられる。
【０００５】
このため、キャビネット１０とキャビネット格納スツール２１は、正面部が実質的に面一となることで外観に優れる。
【特許文献１】特開平９−３７８５９号公報
【発明の開示】
【発明が解決しようとする課題】
【０００６】
ところが、特許文献１のキャビネット格納スツール２１では、キャビネット格納スツール２１が格納部１１２に対して斜めに出し入れすると、格納部１１２に摺れてキャビネット格納スツール２１に傷が付くという問題があった。特にキャビネット格納スツール２１と格納部１１２に隙間が少ない場合には互いが摺れて傷の付く確率が高くなる。
【０００７】
そこで、本発明は安価で簡単な構成により傷が付くのを防止できるキャビネット格納スツールを提供することを目的とする。
【課題を解決するための手段】
【０００８】
請求項１の発明は、キャビネットの格納部に出し入れ自在で外観が略直方体形状のキャビネット格納スツールであって、前記格納部の一対の側面に対向する前記キャビネット格納スツールの一対の側面の両方又はいずれか一方の側面に保護材が突出して設けられることを特徴としている。
【０００９】
請求項２の発明は、請求項１に記載のキャビネット格納スツールであって、前記保護材は断面凸状でその底部に突部が形成され、この突部が前記キャビネット格納スツールの側面に形成される溝部に嵌入して固着されることを特徴としている。
【００１０】
請求項３の発明は、請求項１又は請求項２に記載のキャビネット格納スツールであって、前記保護材は前記キャビネット格納スツールの側面の上端部に固着されることを特徴としている。
【発明の効果】
【００１１】
請求項１の発明によれば、前記格納部の一対の側面に対向する前記キャビネット格納スツールの一対の側面の両方又はいずれか一方の側面に保護材が突出して設けられる。このため、キャビネットの格納部からの出し入れ時に側面が保護材によって保護されるのでスツールに傷が付くことがなく、スツールを綺麗な状態でいつまでも使用することができるので品質性が向上する。
【００１２】
請求項２の発明によれば、前記保護材は断面凸状でその底部に突部が形成され、この突部が前記キャビネット格納スツールの側面に形成される溝部に嵌入して固着されるだけなので、取付簡単な構造により低コストで実施ができる。また、取替えも容易でメンテナンス性に優れる。
【００１３】
請求項３の発明は、前記保護材は前記キャビネット格納スツールの側面の上端部に固着されるので、スツールが傾いてスツールの側面の上端部が格納部に接触しても前記保護材によってスツールに傷が付くことがなくなる。このため、スツールが傾かない場合に加えて傾く場合でもスツールを保護することができるので請求項１の効果と同様の効果が得られる。
【発明を実施するための最良の形態】
【００１４】
以下に、本発明の実施形態を図１〜図４に基づいて説明する。
＜キャビネット格納スツールの構成＞
【００１５】
図１に示すように、ドレッサー３５はキャビネット３２とキャビネット３２の上部に備える鏡３４から成り、キャビネット３２の両脇には二組の引き出し３２ａが設けられる。本発明の実施形態におけるキャビネット格納スツール３１は、二組の引き出し３２ａで囲まれた空間部である格納部３３に出し入れ自在で外観が略直方体形状である。
【００１６】
キャビネット格納スツール３１の上部には座部３６が設けられ、座部３６は矢印Ｐで示すように前方に開くことができ、キャビネット格納スツール３１の内部には両側板３１ａと前板３１ｂと後板３１ｃと底部３１ｄに囲まれて収納スペース３７が形成される。さらに、後方には把手３８ａを備える背板３８を備え、底部３１ｄには四組のキャスター３９を備える。
【００１７】
そして、格納部３３の一対の側面３３ａに対向するキャビネット格納スツール３１に保護材４０が設けられる。ここで、格納部３３に対してキャビネット格納スツール３１は横向きに格納されるので、保護材４０はキャビネット格納スツール３１の一側面としての前板３１ｂの上端部の溝部４１に嵌入して固着される。
【００１８】
格納部３３の幅Ｓ、奥行きＴで、キャビネット格納スツール３１の前後方向の把手３８ａから保護材４０の表面までの全長Ｓ１、横幅Ｔ１とすると、Ｓ＞Ｓ１、Ｔ＞Ｔ１に形成される。なお、キャビネット３２とキャビネット格納スツール３１は隙間のない一体感のある外観にして見栄えをよくするために、ＳとＳ１はできるだけ等しく形成される。
【００１９】
図２、図３、図４に示すように、保護材４０は全長Ｌ１＝５７ｍｍで全幅Ｇ＝２０ｍｍの断面凸状で、凸状の表面は半径Ｒ＝５０ｍｍの円弧で形成され中心部で厚さＧ１＝５ｍｍで、底部４０ａは平面状に形成される。
【００２０】
底部４０ａの下端４０ｂから高さＨ＝８ｍｍの位置で底部４０ａと直角に突部４０ｃが形成される。突部４０ｃは全長Ｇ２＝６ｍｍ、幅Ｇ３＝２ｍｍで、突部４０ｃの先端部４０ｄは三層の矢尻形状が全幅Ｇ４＝３ｍｍで広がっている。さらに、底部４０ａの上端部４０ｅに、幅Ｇ５＝３ｍｍ、高さＧ６＝２ｍｍで凸部４０ｆが形成される。
【００２１】
そして、上記、突部４０ｃがキャビネット格納スツール３１の前板３１ｂに形成される溝部４１に嵌入して固着されるとともに、凸部４０ｆはキャビネット格納スツール３１の上面３１ｅと座部３６の隙間を覆うように取付けられる。
【００２２】
なお、突部４０ｃと凸部４０ｆは保護材４０の長手方向の両端から長さＱ７＝１５ｍｍの領域４０ｇには形成されない。これは、保護材４０が収納スペース３１ｂの両側板３１ａに跨るので両側板３１ａには溝部４１が形成されないためである。
＜キャビネット格納スツールの作用＞
【００２３】
上記、格納部３３の一対の側面３３ａに対向するキャビネット格納スツール３１の一側面としての前板３１ｂに保護材４０が設けられるので、キャビネット格納スツール３１は格納部３３からの出し入れ時に前板３１ｂが保護材４０によって保護されるので傷が付くことがないので品質性が向上する。なお、後板３１ｃ側は把手３８ａが保護材としての役目を兼ねている。
【００２４】
保護材４０は断面凸状で突部４０ｃがキャビネット格納スツール３１の前板３１ｂに形成される溝部４１に嵌入して固着されるだけなので、簡単な構造で低コストで実施できる。また、取付取替えも容易でメンテナンス性に優れ、突部４０ｃの先端部４０ｄは三層の矢尻形状が広がっているので容易に外れることがない。
【００２５】
保護材４０はキャビネット格納スツール３１の前板３１ｂの上端部に固着されるだけので、キャビネット格納スツール３１のデザイン性を損なうことがない。そして、キャビネット格納スツール３１が傾いた場合でも最初に保護材４０に当接することによって傷が防止できる。
【００２６】
以上、本発明の実施例を図面に基づいて説明したが、具体的な構成はこの実施例に限られるものではなく本発明の要旨を逸脱しない範囲の設計変更等があっても本発明に含まれる。
【００２７】
たとえば、キャビネット格納スツール３１に把手３８ａが設けられない場合には一対の両方の側面としての前板３１ｂと後板３１ｃに保護材４０を設けてもよい。
【００２８】
突部４０ｃの先端部４０ｄは三層の矢尻形状は三層に拘らず嵌入できれば二層でもよい。
【００２９】
突部４０ｃは長さ方向に断続的に形成してもよい。
【図面の簡単な説明】
【００３０】
【図１】本発明の実施形態におけるキャビネットの格納部３３に出し入れ自在のキャビネット格納スツール３１の斜視図である。
【図２】本発明の実施形態におけるキャビネット格納スツール３１の、図１におけるＡ−Ａ断面図である。
【図３】本発明の実施形態におけるキャビネット格納スツール３１の、図２におけるＢ−Ｂ矢視図である。
【図４】本発明の実施形態におけるキャビネット格納スツール３１の、図２におけるＣ−Ｃ矢視図である。
【図５】従来のキャビネット格納スツール２１の斜視図である。
【符号の説明】
【００３１】
３１  キャビネット格納スツール
３６  座部
３１ｂ  前板
４１  溝部
３１ｅ  上面
４０  保護材
４０ａ  底部
４０ｂ  下端
４０ｃ  突部
４０ｄ  先端部
４０ｅ  上端部
４０ｆ  凸部
４０ｇ  領域
【図１】
2008136615.tif 000003
【図２】
2008136615.tif 000004
【図３】
2008136615.tif 000005
【図４】
2008136615.tif 000006
【図５】
2008136615.tif 000007